(57)【要約】      （修正有）【課題】水切りかご支持部の構成に多くの金属製の線材を使用せず、製造が容易であり、折畳みが可能で格納、運搬等の取り扱いが容易で、使い勝ってのよい水切り装置を提供する。【解決手段】所定角度でＸ状に保持され且つ略平行状態に折畳み可能な回動部１，２と該それぞれの回動部１、２の両端部からそれぞれ同方向へ平行間隔を保って直角に折曲げられた水平部１ａ、１ｂ、２ａ、２ｂが形成された棒部材からなる支持部と、該支持部をＸ状に保持した時に水平に位置する前記水平部１ａ、２ａ、１ｂ、２ｂの間に予め両端部に設けられた係合部８、８、９、９が係止させられる水切りかご５、６と、該それぞれの水切りかご５、６の下部に引き出し可能に保持された水受けトレー１０，１１と、からなり、好ましくは、前記支持部がパイプで形成され、前記各水平部１ａ、１ｂ、２ａ、２ｂの所定位置に前記水切りかご５、６の位置決め係止部７がそれぞれ設けられてなる。【選択図】図２
2010063640.tif 000002
【特許請求の範囲】
【請求項１】
所定角度でＸ状に保持され且つ略平行状態に折畳み可能な回動部と該それぞれの回動部の両端部からそれぞれ同方向へ平行間隔を保って直角に折曲げられた水平部が形成された棒部材からなる支持部と、該支持部をＸ状に保持した時に水平に位置する前記水平部の間に予め両端部に設けられた係合部が係止させられる水切りかごと、該それぞれの水切りかごの下部に引き出し可能に保持された水受けトレーと、からなることを特徴とする水切り装置。
【請求項２】
前記棒部材からなる支持部がパイプで形成されてなることを特徴とする請求項１に記載の水切り装置。
【請求項３】
前記水平部の所定位置に前記水切りかごの位置決め係止部を設けたことを特徴とする請求項１又は２に記載の水切り装置。
【発明の詳細な説明】
【技術分野】
【０００１】
本発明は、台所のシンクの近くなどにおいて使用される食器などの水切り装置に関する。
【背景技術】
【０００２】
従来、金属製の線材を適宜の寸法に切断し、さらに必要に応じて折曲げ加工などを行い、それらをスポット溶接などにより連結して後方脚部及び前側脚部からなる水切りかご支持部を二段に構成し、それらの間に水切りかごを支持する水切りかごが提供されている（実用新案登録第３０１１９１９号参照）。
【０００３】
その他、前記と同様に、金属製の線材により背面部及び両側面部を形成し、それらを略コ字状に配置して、その内側に水切りかごを支持する水切り装置も提供されている。
【特許文献１】実用新登録第３０１１８１９号公報  しかしながら、前記従来の水切り装置は、その構成に多くの金属製の線材を必要とするものであった。
【発明の開示】
【発明が解決しようとする課題】
【０００４】
本発明は、水切りかご支持部の構成に、多くの金属製の線材を必要とせず、したがって、前記金属製の線材の切断、加工及びスポット溶接などの作業を省くことができ、製造が容易であり、さらに折畳みが可能であるため格納、運搬等の取り扱いが容易であり、また、使い勝手のよい水切り装置を提供することを目的とする。
【課題を解決するための手段】
【０００５】
本発明の水切り装置は、所定角度でＸ状に保持され且つ略平行状態に折畳み可能な回動部と該それぞれの回動部の両端部からそれぞれ同方向へ平行間隔を保って直角に折曲げられた水平部が形成された棒部材からなる支持部と、該支持部をＸ状に保持した時に水平に位置する前記水平部の間に予め両端部に設けられた係合部が係止させられる水切りかごと、該それぞれの水切りかごの下部に引き出し可能に保持された水受けトレーと、からなることを特徴とする（請求項１）。
【０００６】
前記構成の水切り装置の前記支持部は、二本の棒部材を折曲げ加工して形成することができる。したがって、従来のように、多くの金属製の線材を必要とせず、さらに、切断、加工及びスポット溶接等の作業を省くことができ、製造が容易である。
【０００７】
さらに、前記回動部と前記水平部が所定角度でＸ状に保持され且つ略平行状態に折畳み可能であるため、格納、運搬時にはコンパクトに形成されてその取り扱いが容易である。また、正面部のほか、両側面部も完全開放されているため使い勝手がよいものである。
【０００８】
本発明の使用時には、前記回動部を拡開すれば、該回動部の全体が所定角度でＸ状に保持される。同時に、前記回動部のそれぞれ両端部から同方向へ平行間隔を保って直角に折曲げ延長されたそれぞれの水平部が水平に位置させられる。したがって、水平に位置する前記水平部の間に、水切りかごの両端部に予め構成された係合部を係止させて使用することができる。
【０００９】
なお、前記水切りかごの下部には、引き出し可能に水受けトレーが保持されているので食器などの水切り時にシンクの周囲などの設置場所を汚すこともない。
【００１０】
本発明の実施の一形態は、前記棒部材からなる支持部がパイプであることを特徴とする（請求項２）。この実施の一形態によれば、無垢の棒部材に比べて軽量であり、折畳み及び格納、運搬時当の取り扱いが容易であり。
【００１１】
本発明の実施の一形態は、前記水平部の所定位置に前記水切りかごの位置決め係止部を設けたことを特徴とする（請求項３）。この実施の一形態によれば、前記水平部に係止させられた水切りかごが定位置に保持されて不意にスライドさせられたりすることがなく安全である。
【発明の効果】
【００１２】
本発明によれば、水切りかご支持部の製造が容易であり、さらに、格納、運搬等の取り扱いが容易であり、使い勝手がよい効果が得られる。
【発明を実施するための最良の形態】
【００１３】
図１は、本発明の水切り装置を正面左方向から見た斜視図、図２は、本発明の水切り装置を背面左方向から見た斜視図、図３は、図１の分解斜視図である。
【００１４】
図中、１、２は、棒部材からなり、所定角度でＸ状に保持され且つ略平行状態に折畳みが可能な回動部である。
【００１５】
すなわち、前記回動部１、２のそれぞれ中間部が交差させられ、さらに該交差部を囲んで所定の縦巾を有する中空のストッパー枠３が設けられ、さらに、前記回動部１、２の交差部と前記中空のストッパー枠３に枢支ピン４が貫通させられている。
【００１６】
さらに、前記それぞれの回動部１、２の両端部からそれぞれ同方向へ平行間隔を保って直角に折曲げられた水平部１ａ、１ｂ、２ａ、２ｂが形成される。図面実施の一形態では、該水平部１ａ、１ｂ、２ａ、２ｂは前記回動部１、２を折曲げ延長して形成されている。
【００１７】
もっとも、前記回動部１、２に対して前記水平部１ａ、１ｂ、２ａ、２ｂを別々に構成してネジ連結等により組立てる構成としてもよい。
【００１８】
さらに、前記水平部１ａ、１ｂ、２ａ、２ｂの所定位置には、つぎに述べる水切りかご５、６の位置決め係止部７がそれぞれ設けられる。なお、該位置決め係止部６は、円筒状のゴム、プラスチック等を前記水平部１ａ、１ｂ、２ａ、２ｂの開放端部から嵌め込み固定するなどして設けられる。
【００１９】
前記構成の支持部Ｓは、略平行状態に折畳んだ前記回動部１、２の上端部あるいは下端部をそれぞれ外側に拡げる方向に移動させると、前記それぞれの回動部１、２の前記交差部に近い位置が前記中空のストッパー枠３の上端部あるいは下端部に係止して前記回動部１、２が所定角度のＸ状に保持される。同時に、下方に位置した前記水平部１ｂ、２ｂを接地して安定させられる。
【００２０】
つぎに水切りかご５、６について述べる。該水切りかご５、６は、一般に金属からなる線材を加工して製造されているが、プラスチック成形品であってもよい。
【００２１】
いずれの場合も、予め両端部に前記水平部１ａ、２ａ、１ｂ、２ｂに係止させられる係合部が設けられる。図面実施例では、前記水切りかご５が上段用とされ、前記水切りかご６が下段用とされている。
【００２２】
図面実施の一形態では、前記上段用の水切りかご５は、開口部の両端部が水平方向に折曲げられて係合部８、８が形成されている。したがって、前記上段用の水切りかご５は吊り下げ状態に前記水平部１ａ、２ａ間に設けられている。
【００２３】
また、前記下段用の水切りかご６は、前記水平部１ｂ、２ｂ間に浮き上がるように設けられる。すなわち、該下段用の水切りかご６は、その底部の両端部に前記水平部１ｂ、２ｂに載置する係合部９、９が下向きに形成されている。
【００２４】
さらに、前記上段用の水切りかご５及び下段用の水切りかご６の下部にはそれぞれ引き出し可能に保持された水受けトレー１０及び１１が設けられる。図面実施の一形態では、前記上段用の水切りかご５の水受けトレー１０は、前記上段用の水切りかご５の下部の両端部に形成されたフック１２、１２にその両端部が保持されている。また、前記下段用の水切りかご６の水受けトレー１１は、前記下段用の水切りかご６の下部の両端部に形成されたフック１３、１３にその両端部が保持されている。
【００２５】
図中、１４、１５は、小物の食器などを吊り下げあるいは収容するための附属品であり前記水切りかごの周辺に係止させて使用される。
【００２６】
前記のごとく、本発明の水切り装置は、正面部のほか、両側面部が完全に開放された斬新な構造であり、すこぶる使い勝手がよいものである。
【図面の簡単な説明】
【００２７】
【図１】本発明の水切り装置を正面左方向から見た斜視図である。
【図２】本発明の水切り装置を背面左方向から見た斜視図である。
【図３】図１の分解斜視図である。
【符号の説明】
【００２８】
１、２    回動部
１ａ、１ｂ、２ａ、２ｂ    水平部
５    水切りかご（上段用）
６    水切りかご（下段用）
８、８    係合部（上段水切りかご）
９、９    係合部（下段水切りかご）
１０    水受けトレー（上段水切りかご）
１１    水受けトレー（下段水切りかご）
Ｓ    指示部
【図１】
2010063640.tif 000003
【図２】
2010063640.tif 000004
【図３】
2010063640.tif 000005